(57)【要約】      （修正有）【課題】炎症を生じさせることなく育毛を促進させることができる毛成長調節方法及びその装置を提供する。【解決手段】毛成長調節装置１は、円筒状のハウジング１０内に配された複数の発光ダイオード１１からの光をハウジング１０の保護ガラス板１２を配した一端側から外部に出力する。発光ダイオード１１は、８７０ｎｍ以上９１０ｎｍ以下の波長域を除く６００ｎｍ以上１０００ｎｍ以下の波長域の低エネルギーの光を毛根部付近に照射してその周囲に存在する体内既存の光吸収成分に光吸収させることで毛の成長を調節する。この波長域の光であれば、炎症を招くことなく育毛効果を得ることができる。【選択図】図１
2008246144.tif 000002
【特許請求の範囲】
【請求項１】
８７０ｎｍ以上９１０ｎｍ以下の波長域を除く６００ｎｍ以上１０００ｎｍ以下の波長域の低エネルギーの光を毛根部付近に照射してその周囲に存在する体内既存の光吸収成分に光吸収させることで毛の成長を調節することを特徴とする毛成長調節方法。
【請求項２】
照射する低エネルギーの光は、１０Ｊ／ｃｍ2以上１００Ｊ／ｃｍ2以下であることを特徴とする請求項１記載の毛成長調節方法。
【請求項３】
照射する低エネルギーの光の照射時間を１日に１分〜３０分とするとともに、３〜１０日間連続させることを特徴とする請求項１または２記載の毛成長調節方法。
【請求項４】
照射する低エネルギーの光は、１００Ｈｚ以上１０００Ｈｚ以下の周波数で点滅させたものであることを特徴とする請求項１〜３のいずれか１項に記載の毛成長調節方法。
【請求項５】
請求項１〜４のいずれか１項に記載の毛成長調節方法に係る光を照射する光照射部を備えていることを特徴とする毛成長調節装置。
【発明の詳細な説明】
【技術分野】
【０００１】
本発明は、光を用いて毛の成長調節を行うに際しての毛成長調節方法及びその装置に関するものである。
【背景技術】
【０００２】
育毛法として、皮膚に軽い炎症を起こさせることで毛の発育を加速するものが知られている。効果が高いとされているこの手法は、薬剤などで炎症を起こさせるのであるが、このような薬剤の使用は、しばしば軽度の肌荒れを生じさせるとともに、痛みや感染症などの問題を有している。
【０００３】
また、８９０ｎｍの光を照射することで育毛させる育毛装置が特許文献１で提唱されているが、８９０ｎｍの波長の光を用いることによる効果を動物実験で確認したところ、上記の薬剤を用いる場合と同様に、皮膚内部に炎症を起こすことを利用したものであり、このような炎症を人為的に引き起こすことは、人体に対して好ましいとは言えない。
【特許文献１】Jounal of the Korean Society Plastic & Reconstructive Surgeons 2004   p.1- p.8
【発明の開示】
【発明が解決しようとする課題】
【０００４】
本発明は上記の従来の問題点に鑑みて発明したものであって、炎症を生じさせることなく育毛を促進させることができる毛成長調節方法及びその装置を提供することを課題とするものである。
【課題を解決するための手段】
【０００５】
上記課題を解決するために本発明に係る毛成長調節方法は、８７０ｎｍ以上９１０ｎｍ以下の波長域を除く６００ｎｍ以上１０００ｎｍ以下の波長域の低エネルギーの光を毛根部付近に照射してその周囲に存在する体内既存の光吸収成分に光吸収させることで毛の成長を調節することに特徴を有している。この波長域の光であれば、炎症を招くことなく育毛効果を得ることができる。
【０００６】
照射する低エネルギーの光は、１０Ｊ／ｃｍ2以上１００Ｊ／ｃｍ2以下であることが望ましい。
【０００７】
また照射する低エネルギーの光の照射時間を１日に１分〜３０分とするとともに、３〜１０日間連続させるとよい。
【０００８】
照射する低エネルギーの光は、１００Ｈｚ以上１０００Ｈｚ以下の周波数で点滅させたものであってもよい。
【０００９】
そして本発明に係る毛成長調節装置は、上記毛成長調節方法に係る光を照射する光照射部を備えていることに特徴を有している。
【発明の効果】
【００１０】
本発明によれば、炎症を起こさせることなく、また肌荒れ等を招くことなく育毛効果を得ることができ、安全で且つ肌に優しい育毛を行うことができる。
【発明を実施するための最良の形態】
【００１１】
以下、本発明を添付図面に示す実施形態に基いて説明すると、図１は本発明に係る毛成長調節装置１を示しており、直径２０ｍｍ程度の円筒状のハウジング１０内に複数の発光ダイオード１１を配して、これら発光ダイオード１１からの光をハウジング１０の保護ガラス板１２を配した一端側から外部に出力することができるようにしてある。
【００１２】
上記発光ダイオード１１は、波長９５０ｎｍの光を出力するもので、切換スイッチ１３の切換により、パルス点灯制御回路１４による５００Ｈｚのパルス点灯と、タイマー１５を介して電源１６に直結することによる連続点灯とを切り換えることができる。上記タイマー１５は照射時間をたとえば２０分に制限するものである。
【００１３】
照射される光パワーは、連続点灯の場合はたとえば５０ｍＷ／ｃｍ2であり、５００Ｈｚのパルス点灯の場合は連続点灯の場合よりも高い１００ｍＷ／ｃｍ2としている。なお、照射エネルギー（Ｊ／ｃｍ2）は、照射パワー（Ｗ）と照射時間（秒）との積であり、この照射エネルギーは１０Ｊ／ｃｍ2以上１００Ｊ／ｃｍ2以下となるように照射パワーＰ（Ｗ）と照射時間Ｓ（秒）とを制御した。１０Ｊ／ｃｍ2未満では照射時間が長くなりすぎるためであり、１００Ｊ／ｃｍ2超では熱が問題となるからである。
【００１４】
ここにおいて、毛（体毛）は成長期から退行期、休止期というサイクルで変化する毛周期を有することが知られているが、上記光を照射する実験を毛の成長が休止している状態にあるマウスに行った結果を図２に示す。なお、上記状態にあるマウスは、通常であれば８週間程度は毛の成長が開始しない。
【００１５】
図２(a)は連続点灯で１日に２０分間、５日連続照射したマウスの３週間経過後を示しており、図２(b)はパルス点灯で１日に２０分間、５日連続照射したマウスの３週間経過後を示している。いずれのマウスも背中半分に育毛がみられる。
【００１６】
これに対して従来例に示した８９０ｎｍの光（光源は発光ダイオード）を１００ｍＷ／ｃｍ2の５００Ｈｚパルス点灯で照射した場合を図３に示す。図３(a)は照射前を、図３(b)(c)は照射１時間後を、図３(d)(e)は照射１日後を示している。皮膚内部に明らかな炎症（水ぶくれ）を起こしており、この炎症は数日後には皮膚表面にまで達した。このような炎症は、９５０ｎｍの光を照射した時には全く発生していないことから、９５０ｎｍの光を用いる場合の副作用の低さは歴然であった。
【００１７】
また、６２６ｎｍの波長の光の照射を５０ｍＷ／ｃｍ2・１日に２０分間の連続点灯で５日連続させた場合と、１００ｍＷ／ｃｍ2・１日に２０分間の連続点灯で５日連続させた場合との照射前、連続照射後、照射１週間後、照射２週間後、照射３週間後、照射４週間後の各状態を図４，図５に、８５０ｎｍの波長の光の照射を５０ｍＷ／ｃｍ2・１日に２０分間の連続点灯で５日連続させた場合と、１００ｍＷ／ｃｍ2・１日に２０分間の連続点灯で５日連続させた場合の各状態を図６，図７に示す。
【００１８】
更に８９０ｎｍの波長の光の照射を５０ｍＷ／ｃｍ2・１日に２０分間の連続点灯で５日連続させた場合と、１００ｍＷ／ｃｍ2・１日に２０分間の連続点灯で５日連続させた場合との照射前、連続照射後、照射１週間後、照射２週間後、照射３週間後、照射４週間後の各状態を図８，図９に、９５０ｎｍの波長の光の照射を５０ｍＷ／ｃｍ2・１日に２０分間の連続点灯で５日連続させた場合と、１００ｍＷ／ｃｍ2・１日に２０分間の連続点灯で５日連続させた場合の各状態を図１０，図１１に示す。
【００１９】
いずれの場合も照射後４週間目で育毛効果を確認することができるが、８９０ｎｍの場合は炎症が発現しており、９５０ｎｍと６２６ｎｍと８５０ｎｍの場合は炎症の発現がなかった。
【００２０】
なお、６００ｎｍ未満の波長の光は体内のメラニンに吸収されてしまって上記育毛の効果をあまり期待できず、更に１０００ｎｍ超の波長の光は、体内の水の吸収波長がある関係で有害事象を起こす虞がある。
【００２１】
また、エネルギーが１０Ｊ／ｃｍ2未満である時には、やはり育毛の効果をあまり期待できず、エネルギーが１００Ｊ／ｃｍ2超である時には、人体に対する熱的刺激が大きくて問題となる。
【００２２】
そして、低エネルギーの光の照射時間は１日に１分〜３０分とし、更に３〜１０日間連続させることが効果的であった。推測となるが、光照射後、体内でｍＲＮＡが作られ、反応を進めるためのタンパク質が作られて変化が始まるまでに２４時間程度かかることが関係するものと思われる。
【００２３】
更に照射する低エネルギーの光は、１００Ｈｚ以上１０００Ｈｚ以下の周波数で点滅させることが連続的に点灯させている場合よりも好ましい結果を得ることができる。パルス点灯がより有効であることの生物学上の理由は不明であるが、光エネルギーが熱エネルギーに変化してしまう割合がパルス点灯よりも連続点灯の方が高くなることが影響するものと思われる。、
【図面の簡単な説明】
【００２４】
【図１】本発明に係る毛成長調節装置のブロック図である。
【図２】(a)(b)は波長９５０ｎｍの光による育毛効果を示す説明図である。
【図３】(a)〜(e)は波長８９０ｎｍの光による育毛効果と炎症発生を示す説明図である。
【図４】波長６２６ｎｍ・５０ｍＷ／ｃｍ2の光による育毛効果を示す説明図である。
【図５】波長６２６ｎｍ・１００ｍＷ／ｃｍ2の光による育毛効果を示す説明図である。
【図６】波長８５０ｎｍ・５０ｍＷ／ｃｍ2の光による育毛効果を示す説明図である。
【図７】波長８５０ｎｍ・１００ｍＷ／ｃｍ2の光による育毛効果を示す説明図である。
【図８】波長８９０ｎｍ・５０ｍＷ／ｃｍ2の光による育毛効果を示す説明図である。
【図９】波長８９０ｎｍ・１００ｍＷ／ｃｍ2の光による育毛効果を示す説明図である。
【図１０】波長９５０ｎｍ・５０ｍＷ／ｃｍ2の光による育毛効果を示す説明図である。
【図１１】波長９５０ｎｍ・１００ｍＷ／ｃｍ2の光による育毛効果を示す説明図である。
【符号の説明】
【００２５】
１  毛成長調節装置
１１  発光ダイオード
【図１】
2008246144.tif 000003
【図２】
2008246144.tif 000004
【図３】
2008246144.tif 000005
【図４】
2008246144.tif 000006
【図５】
2008246144.tif 000007
【図６】
2008246144.tif 000008
【図７】
2008246144.tif 000009
【図８】
2008246144.tif 000010
【図９】
2008246144.tif 000011
【図１０】
2008246144.tif 000012
【図１１】
2008246144.tif 000013